(57)【要約】【課題】残置運用のための処理時間を短縮可能な貨幣処理機の提供。【解決手段】操作入力値に基づく機内の論理在高値と計数手段の計数値に基づく機内の物理在高値とを照合する照合手段２７と、貨幣ジャムを含む取引異常の有無を検出する取引異常検出手段５５，８５と、所定の判定対象期間の照合手段２７による照合結果と取引異常検出手段５５，８５の検出結果とに基づいて貨幣の機内残置処理が可能であるか否かを判定する残置判定処理を行うもので残置判定手段２７と、を有し、残置判定処理にて、論理在高値と物理在高値とが一致し且つ取引異常がなかった場合に、貨幣の機内残置処理が実行可能となる。【選択図】図２
2015210708.tif 000002
【特許請求の範囲】
【請求項１】
操作入力値に基づく機内の論理在高値と計数手段の計数値に基づく機内の物理在高値とを照合する照合手段と、
貨幣ジャムを含む取引異常の有無を検出する取引異常検出手段と、
所定の判定対象期間の前記照合手段による照合結果と前記取引異常検出手段の検出結果とに基づいて貨幣の機内残置処理が可能であるか否かを判定する残置判定処理を行う残置判定手段と、を有し、
前記残置判定処理にて、前記論理在高値と前記物理在高値とが一致し且つ前記取引異常がなかった場合に、貨幣の機内残置処理が実行可能となることを特徴とする貨幣処理機。
【請求項２】
硬貨処理部と紙幣処理部とを有し、
前記残置判定処理にて、前記論理在高値と前記物理在高値とが不一致であり且つ前記取引異常がなかった場合に、前記硬貨処理部および前記紙幣処理部のうち前記論理在高値と前記物理在高値とが不一致であったもののみについて自己精査処理を実行することを特徴とする請求項１記載の貨幣処理機。
【請求項３】
硬貨処理部と紙幣処理部とを有し、
前記残置判定処理にて、前記論理在高値と前記物理在高値とが一致し且つ前記取引異常があった場合に、前記硬貨処理部および前記紙幣処理部のうち取引異常があったもののみについて自己精査処理実行の有無の選択操作を受け付けることを特徴とする請求項１または２記載の貨幣処理機。
【請求項４】
貨幣を繰り出し可能に収納する収納部と、
機内で発生したリジェクト貨幣を繰り出し不可に収納するリジェクト部と、
前記リジェクト部の貨幣の有無を検知するリジェクト検知手段と、を有し、
前記リジェクト検知手段の検知結果から前記リジェクト部に貨幣がある場合に、前記リジェクト部の貨幣を前記収納部に戻す戻し処理の実行を受け付け、該戻し処理が実行されると、前記残置判定処理を行うことを特徴とする請求項１から３のいずれか一項記載の貨幣処理機。
【請求項５】
前記操作入力値と前記計数値との不整合を時系列的に記憶する不整合記憶手段を有することを特徴とする請求項１から４のいずれか一項記載の貨幣処理機。
【請求項６】
主電源オフ状態での開閉部の開作動を検出する開作動検出手段を有し、
前記残置判定処理にて、前記論理在高値と前記物理在高値とが一致し且つ前記取引異常がなく且つ前記開作動がなければ、貨幣の機内残置処理が実行可能となることを特徴とする請求項１から５のいずれか一項記載の貨幣処理機。
【請求項７】
前記論理在高値と前記物理在高値とを紙面に印字するプリンタが設けられていることを特徴とする請求項１から６のいずれか一項記載の貨幣処理機。
【発明の詳細な説明】
【技術分野】
【０００１】
本発明は、貨幣の入出金処理を行う貨幣処理機に関する。
【背景技術】
【０００２】
貨幣処理機において、内部に収納されている貨幣は、通常、１日の業務の終わりにすべて回収されることになる。これに対し、貨幣処理機の内部に収納されている貨幣を、翌日の取引のため、例えば予め設定された金種、枚数だけ貨幣処理機内に残置する残置運用が行われることがある。このような残置運用に関連して、機内在高値の範囲内で所定の優先順位にしたがった定額残置を実行し、能率の良い残置回収業務を行うようにした貨幣入出金機の定額残置回収装置がある（例えば、特許文献１参照）。
【先行技術文献】
【特許文献】
【０００３】
【特許文献１】特開平１１−２１３２１３号公報
【発明の概要】
【発明が解決しようとする課題】
【０００４】
貨幣処理機には、機内の貨幣を精査する自己精査機能を有するものがある。このような貨幣処理機を用いて残置運用を行う場合、自己精査処理を行って機内の貨幣を総点検し厳格に在高値を確認してから残置を行うのが好ましい。しかしながら、自己精査処理の実行には多くの時間を要するため、残置運用のための処理に時間がかかってしまう。
【０００５】
したがって、本発明は、残置運用のための処理時間を短縮可能な貨幣処理機の提供を目的とする。
【課題を解決するための手段】
【０００６】
上記目的を達成するために、請求項１に係る発明は、操作入力値に基づく機内の論理在高値と計数手段の計数値に基づく機内の物理在高値とを照合する照合手段と、貨幣ジャムを含む取引異常の有無を検出する取引異常検出手段と、所定の判定対象期間の前記照合手段による照合結果と前記取引異常検出手段の検出結果とに基づいて貨幣の機内残置処理が可能であるか否かを判定する残置判定処理を行う残置判定手段と、を有し、前記残置判定処理にて、前記論理在高値と前記物理在高値とが一致し且つ前記取引異常がなかった場合に、貨幣の機内残置処理が実行可能となることを特徴とする。
【０００７】
請求項２に係る発明は、請求項１に係る発明において、硬貨処理部と紙幣処理部とを有し、前記残置判定処理にて、前記論理在高値と前記物理在高値とが不一致であり且つ前記取引異常がなかった場合に、前記硬貨処理部および前記紙幣処理部のうち前記論理在高値と前記物理在高値とが不一致であったもののみについて自己精査処理を実行することを特徴とする。
【０００８】
請求項３に係る発明は、請求項１または２に係る発明において、硬貨処理部と紙幣処理部とを有し、前記残置判定処理にて、前記論理在高値と前記物理在高値とが一致し且つ前記取引異常があった場合に、前記硬貨処理部および前記紙幣処理部のうち取引異常があったもののみについて自己精査処理実行の有無の選択操作を受け付けることを特徴とする。
【０００９】
請求項４に係る発明は、請求項１から３のいずれか一項に係る発明において、貨幣を繰り出し可能に収納する収納部と、機内で発生したリジェクト貨幣を繰り出し不可に収納するリジェクト部と、前記リジェクト部の貨幣の有無を検知するリジェクト検知手段と、を有し、前記リジェクト検知手段の検知結果から前記リジェクト部に貨幣がある場合に、前記リジェクト部の貨幣を前記収納部に戻す戻し処理の実行を受け付け、該戻し処理が実行されると、前記残置判定処理を行うことを特徴とする。
【００１０】
請求項５に係る発明は、請求項１から４のいずれか一項に係る発明において、前記操作入力値と前記計数値との不整合を時系列的に記憶する不整合記憶手段を有することを特徴とする。
【００１１】
請求項６に係る発明は、請求項１から５のいずれか一項に係る発明において、主電源オフ状態での開閉部の開作動を検出する開作動検出手段を有し、前記残置判定処理にて、前記論理在高値と前記物理在高値とが一致し且つ前記取引異常がなく且つ前記開作動がなければ、貨幣の機内残置処理が実行可能となることを特徴とする。
【００１２】
請求項７に係る発明は、請求項１から６のいずれか一項に係る発明において、前記論理在高値と前記物理在高値とを紙面に印字するプリンタが設けられていることを特徴とする。
【発明の効果】
【００１３】
請求項１に係る発明によれば、残置判定手段による残置判定処理にて、所定の判定対象期間の論理在高値と物理在高値とが一致し、且つ所定の判定対象期間に取引異常がなかったという条件が揃えば、貨幣の機内残置処理が実行可能となる。このように、自己精査しなくても機内の在高値を適正に把握していると判断できる条件である、所定の判定対象期間の論理在高値と物理在高値とが一致し、且つ所定の判定対象期間に取引異常がなかったという条件が整っているか否かを判断し、整っている場合に貨幣の機内残置処理を実行可能とする。このため、自己精査を行わなくても適正に貨幣を機内に残置させることができ、残置運用のための処理時間を短縮可能となる。
【００１４】
請求項２に係る発明によれば、残置判定手段による残置判定処理にて、所定の判定対象期間の論理在高値と物理在高値とが不一致であり、且つ所定の判定対象期間に取引異常がなかった場合、硬貨処理部および紙幣処理部のうち論理在高値と物理在高値とが不一致であったもののみについて自己精査処理を実行する。このため、硬貨処理部および紙幣処理部のうち論理在高値と物理在高値とが不一致となっていないものについては自己精査処理を実行しないことになり、残置運用のための処理時間を短縮可能となる。
【００１５】
請求項３に係る発明によれば、残置判定手段による残置判定処理にて、論理在高値と物理在高値とが一致し且つ取引異常があった場合に、硬貨処理部および紙幣処理部のうち取引異常があったもののみについて自己精査処理実行の有無の選択操作を受け付ける。このため、操作者が取引異常の内容を把握していて自己精査処理の実行が不要と判断した場合には、自己精査処理を実行しないようにでき、残置運用のための処理時間を短縮可能となる。
【００１６】
請求項４に係る発明によれば、リジェクト部に貨幣がある場合には、リジェクト部の貨幣を収納部に戻す戻し処理の実行を受け付ける状態となり、戻し処理が実行されると残置判定手段による残置判定処理を行う。このため、リジェクト部に貨幣がない状態として、残置判定処理を行って貨幣を機内に残置させることができる。
【００１７】
請求項５に係る発明によれば、論理在高値と物理在高値とが不一致の場合に、不整合記憶手段に時系列的に記憶された操作入力値と計数値との不整合を確認させることによって、不一致の原因を容易に究明することを可能とする。
【００１８】
請求項６に係る発明によれば、残置判定手段による残置判定処理にて、所定の判定対象期間の論理在高値と物理在高値とが一致し、且つ所定の判定対象期間に取引異常がなく、且つ所定の判定対象期間に主電源オフ状態での開閉部の開作動がなければ、貨幣の機内残置処理が実行可能となる。よって、主電源オフ状態での開閉部の開作動があった場合に、自己精査処理を実行せずに貨幣が機内に残置されてしまうことを防止できる。
【００１９】
請求項７に係る発明によれば、プリンタが論理在高値と物理在高値とを紙面に印字することになり、残置判定処理時の論理在高値と物理在高値とを紙面に印字して残しておくことができる。
【図面の簡単な説明】
【００２０】
【図１】本発明の一実施形態に係る貨幣処理機を示す構成図である。
【図２】本発明の一実施形態に係る貨幣処理機全体の制御系ブロック図である。
【図３】本発明の一実施形態に係る貨幣処理機の硬貨処理部を概略的に示すブロック図である。
【図４】本発明の一実施形態に係る貨幣処理機の紙幣処理部を概略的に示すブロック図である。
【図５】本発明の一実施形態に係る貨幣処理機のプリンタの印字内容を示す図である。
【発明を実施するための形態】
【００２１】
本発明の一実施形態に係る貨幣処理機を図面を参照して以下に説明する。本実施形態の貨幣処理機は、金融機関の窓口に設置されて窓口操作員（テラー）によって使用される窓口処理機である。
【００２２】
本実施形態の貨幣処理機１０は、図１に示すように、操作端末装置１１と、操作端末装置１１にネットワークを介して接続される貨幣処理機本体１２と、操作端末装置１１および貨幣処理機本体１２にネットワークを介して接続されて紙面に印字を行うプリンタ１３とを有している。ここで、貨幣処理機本体１２は左右二人の窓口操作員により共用されるものであり、操作端末装置１１およびプリンタ１３は左右二人の窓口操作員のそれぞれに対し設けられるものである。説明の便宜上、一方の窓口操作員用の操作端末装置１１およびプリンタ１３と貨幣処理機本体１２との構成を例にとり説明する。
【００２３】
操作端末装置１１は、パーソナルコンピュータからなるもので、窓口操作員により操作入力が行われるキーボード等からなる端末操作部１５と、窓口操作員に対し表示を行う液晶モニタ等からなる端末表示部１６と、端末操作部１５からの信号に基づいて、端末表示部１６の表示画面を制御し入金指示信号および出金指示信号等を貨幣処理機本体１２に送信したり、プリンタ１３に印字指示信号を送信する端末本体１７とを有している。端末本体１７は、各部を制御する端末制御部１８と端末記憶部１９とを備えている。
【００２４】
本実施形態の貨幣処理機本体１２には、窓口操作員により操作入力が行われる本体操作部２５と、窓口操作員に対し表示を行う液晶モニタ等からなる本体表示部２６とが上面に設けられている。これら本体操作部２５および本体表示部２６は、貨幣処理機本体１２の各部を制御する図２に示す本体制御部（照合手段，残置判定手段）２７に接続されており、本体制御部２７には本体記憶部（不整合記憶手段）２８が接続されている。
【００２５】
図１に示すように、貨幣処理機本体１２の上面には、機外から入金硬貨が投入される硬貨入金口３０が設けられている。硬貨入金口３０は、待機状態である閉状態から開状態になることで、機外から一括投入される硬貨を受け入れることになり、また、受け入れた硬貨を、閉状態となってから一枚ずつ分離して機内へ繰り出す。
【００２６】
貨幣処理機本体１２には、高さ方向の中央よりも上部側に機体の前面から後方に凹む凹部３２が設けられており、この凹部３２には受皿３３が挿入可能となっている。凹部３２の天井面には、凹部３２内に挿入された受皿３３内に機内から硬貨を放出する図３に示す硬貨放出口３５が設けられている。また、図１に示すように、貨幣処理機本体１２には、凹部３２の側方に、硬貨が機外に取り出し可能に繰り出される硬貨入金リジェクト口３６が設けられている。
【００２７】
貨幣処理機本体１２は、その上面と凹部３２との間の部分が、硬貨入金口３０、図３に示す硬貨放出口３５および硬貨入金リジェクト口３６を含む硬貨処理部４０となっている。
【００２８】
図３に示すように、硬貨処理部４０は、上記した硬貨入金口３０と、硬貨入金口３０から繰り出された硬貨を識別しつつ計数する硬貨入金識別部４１と、硬貨入金識別部４１の識別結果に基づいて硬貨を二方向に振り分ける硬貨入金振分部４２と、硬貨入金識別部４１で受け入れ可能と識別されて硬貨入金振分部４２で一方に案内された硬貨を一時貯留させる硬貨一時貯留部４３と、硬貨入金識別部４１で受け入れ不可と識別されて硬貨入金振分部４２で他方に案内された硬貨を機外に取り出し可能に繰り出す上記した硬貨入金リジェクト口３６とを有している。
【００２９】
硬貨一時貯留部４３は、一時貯留した硬貨を一枚ずつ分離して繰り出すことになり、硬貨処理部４０は、硬貨一時貯留部４３から繰り出された硬貨を二方向に振り分ける硬貨返却振分部４５と、硬貨返却振分部４５で一方に案内された硬貨を機外に取り出し可能に放出する上記した硬貨放出口３５と、硬貨返却振分部４５で他方に案内された硬貨を識別しつつ計数する硬貨収納識別部（計数手段）４６と、硬貨収納識別部４６の識別結果に基づいて硬貨を金種別に振り分ける硬貨金種別振分部４７と、硬貨金種別振分部４７で金種別に振り分けられた硬貨を金種別に収納する硬貨収納部４８，４８，…とを有している。
【００３０】
硬貨処理部４０は、それぞれが、硬貨収納部４８，４８，…の対応する一つから硬貨を一枚ずつ分離して計数しつつ繰り出す硬貨計数繰出部（計数手段）５０，５０，…と、硬貨計数繰出部５０，５０，…で繰り出された硬貨を三方向に振り分ける硬貨出金振分部５１と、硬貨出金振分部５１で一方に案内された硬貨を収納する硬貨回収金庫５２とを有している。硬貨出金振分部５１は、硬貨を、硬貨回収金庫５２と硬貨放出口３５と硬貨一時貯留部４３とに振り分ける。
【００３１】
硬貨処理部４０は、硬貨入金口３０の硬貨の有無を検出する入金口硬貨検出手段５４を有しており、また、硬貨処理部４０での硬貨の詰まりである硬貨ジャム（貨幣ジャム）を含む取引異常の有無を検出する硬貨取引異常検出手段（取引異常検出手段）５５を有している。この硬貨取引異常検出手段５５は、硬貨処理部４０の硬貨の搬送路上に適宜配置された複数の硬貨検出センサを含んでおり、いずれかの硬貨検出センサが移動すべき硬貨の停止状態を検出することにより硬貨ジャムを検出する。
【００３２】
図１に示すように、貨幣処理機本体１２は、凹部３２よりも下側が機体前方に突出している。この突出部分の上面には、機体後側に、機外から入金紙幣が投入される紙幣入金口６０が設けられており、紙幣入金口６０よりも機体前側に、紙幣が機外に取り出し可能に繰り出される紙幣出金口６１が設けられている。紙幣入金口６０は、待機状態である閉状態から開状態になることで、機外から集積状態で一括投入される紙幣を受け入れることになり、また、受け入れた紙幣を、閉状態になってから一枚ずつ分離して機内へ繰り出す。紙幣出金口６１は、待機状態である閉状態にあるとき、一枚ずつ機内で搬送されてきた紙幣を集積させることになり、また、開状態になると集積状態の紙幣が機外に取り出し可能となる。
【００３３】
貨幣処理機本体１２は、凹部３２よりも下側の部分が、紙幣入金口６０および紙幣出金口６１を含む紙幣処理部６５となっている。
【００３４】
図４に示すように、紙幣処理部６５は、上記した紙幣入金口６０と、紙幣入金口６０から繰り出された紙幣を識別しつつ計数する紙幣入金識別部（計数手段）７１と、紙幣入金識別部７１の識別結果に基づいて紙幣を複数の方向に振り分ける紙幣入金振分部７２と、紙幣入金識別部７１で受け入れ可能と識別されて紙幣入金振分部７２で一方に案内された紙幣を一時貯留させる紙幣一時貯留部７３と、紙幣入金識別部７１で受け入れ不可と識別されて紙幣入金振分部７２で他方に案内された紙幣を機外に取り出し可能に繰り出す上記した紙幣出金口６１と、紙幣入金振分部７２でさらに他方に案内された紙幣を繰り出し不可に収納する紙幣機内リジェクト部（リジェクト部）７４とを有している。紙幣機内リジェクト部７４は、貨幣処理機本体１２の機内で発生したリジェクト紙幣（リジェクト貨幣）を繰り出し不可に収納する。
【００３５】
紙幣一時貯留部７３は、一時貯留した紙幣を一枚ずつ分離して繰り出すことになり、紙幣処理部６５は、紙幣一時貯留部７３から繰り出された紙幣を紙幣出金口６１と紙幣入金識別部７１とに振り分ける紙幣返却振分部７５を有している。上記した紙幣入金振分部７２は、紙幣一時貯留部７３から紙幣返却振分部７５を介して紙幣入金識別部７１に案内された紙幣を金種別に振り分けることになり、このように紙幣入金振分部７２で振り分けられた紙幣を金種別に収納する紙幣収納部（収納部）７８，７８，…を、紙幣処理部６５は有している。
【００３６】
紙幣処理部６５は、それぞれが、紙幣収納部７８，７８，…の対応する一つから紙幣を一枚ずつ分離して計数しつつ繰り出す紙幣計数繰出部８０，８０，…と、紙幣計数繰出部８０，８０，…で繰り出された紙幣を計数しつつ重送や斜行等の異常搬送を検出する紙幣出金識別部（計数手段）８１と、紙幣出金識別部８１で識別後の紙幣をその識別結果に基づいて四方向に振り分ける紙幣出金振分部８２と、紙幣出金振分部８２で一方に案内された紙幣を収納する紙幣回収金庫８３とを有している。紙幣出金振分部８２は、紙幣を、紙幣回収金庫８３と紙幣出金口６１と紙幣一時貯留部７３と紙幣機内リジェクト部７４とに振り分ける。
【００３７】
紙幣処理部６５は、紙幣入金口６０の紙幣の有無を検出する入金口紙幣検出手段８４を有しており、また、紙幣処理部６５での紙幣の詰まりである紙幣ジャム（貨幣ジャム）を含む取引異常の有無を検出する紙幣取引異常検出手段（取引異常検出手段）８５を有している。この紙幣取引異常検出手段８５は、紙幣処理部６５の紙幣の搬送路上に適宜配置された複数の紙幣検出センサを含んでおり、いずれかの紙幣検出センサが移動すべき紙幣の停止状態を検出することにより紙幣ジャムを検出する。紙幣処理部６５は、紙幣機内リジェクト部７４内の紙幣の有無を検知するリジェクト検知手段８６を有している。
【００３８】
図１に示すように、貨幣処理機本体１２は、筐体９０と、いずれも筐体９０にスライド可能に支持された上部ユニット（開閉部）９１と中間ユニット（開閉部）９２と下部ユニット（開閉部）９３とを有している。上部ユニット９１、中間ユニット９２および下部ユニット９３は、いずれも筐体９０から引き出されることで内部が機外に露出する開状態となり、筐体９０に押し込まれることで内部が筐体９０で覆われる閉状態となる。貨幣処理機本体１２は、上部ユニット９１、中間ユニット９２および下部ユニット９３のそれぞれの開作動を検出する図２に示す開作動検出手段９５を有している。この開作動検出手段９５は、バッテリ９６で給電されるものであり、主電源がオフの状態でも、上部ユニット９１、中間ユニット９２および下部ユニット９３のそれぞれの開作動を検出し記憶可能となっている。
【００３９】
図１に示す上部ユニット９１には、硬貨入金口３０を含む図３に示す硬貨処理部４０が設けられている。硬貨処理部４０に取引異常が生じた場合に、操作者は、図１に示す上部ユニット９１を筐体９０から引き出し硬貨処理部４０の筐体９０に覆われていた部分を露出させてジャム硬貨の除去等、取引異常を解消する操作を行う。また、図３に示す硬貨回収金庫５２から硬貨を機外に回収する場合も、操作者は、図１に示す上部ユニット９１を筐体９０から引き出し硬貨処理部４０の筐体９０に覆われていた部分を露出させてこの部分にある図３に示す硬貨回収金庫５２を取り外し、この硬貨回収金庫５２から硬貨を取り出す。
【００４０】
図１に示す中間ユニット９２には、紙幣入金口６０および紙幣出金口６１と、図４に示す紙幣機内リジェクト部７４とを含む紙幣処理部６５の上部が設けられている。紙幣処理部６５の上部に取引異常が生じた場合に、操作者は、図１に示す中間ユニット９２を筐体９０から引き出して紙幣処理部６５の上部の筐体９０に覆われていた部分を露出させてジャム紙幣の除去等、取引異常を解消する操作を行う。また、図４に示す紙幣機内リジェクト部７４から紙幣を取り出す場合も、操作者は、図１に示す中間ユニット９２を筐体９０から引き出して紙幣処理部６５の上部の筐体９０に覆われていた部分を露出させてこの部分にある図４に示す紙幣機内リジェクト部７４から紙幣を取り出すことになる。
【００４１】
図１に示す下部ユニット９３には、紙幣処理部６５の図４に示す紙幣収納部７８，７８，…および紙幣回収金庫８３を含む下部が設けられている。紙幣処理部６５の下部に取引異常が生じた場合に、操作者は、図１に示す下部ユニット９３を筐体９０から引き出して紙幣処理部６５の下部の筐体９０に覆われていた部分を露出させてジャム紙幣の除去等、取引異常を解消する操作を行う。また、図４に示す紙幣回収金庫８３から紙幣を機外に回収する場合も、操作者は、図１に示す下部ユニット９３を筐体９０から引き出して紙幣処理部６５の下部の筐体９０に覆われていた部分を露出させてこの部分に設けられている図４に示す紙幣回収金庫８３を取り外し、この紙幣回収金庫８３から紙幣を取り出す。
【００４２】
次に、以上の構成の貨幣処理機１０の各処理について説明する。なお、貨幣処理機１０は硬貨および紙幣の両方を一度に処理したり、硬貨および紙幣のいずれか一方のみを処理することが可能であるが、以下では硬貨と紙幣とを一度に処理する場合を例にとり説明する。
【００４３】
［入金関連処理］
操作端末装置１１において端末操作部１５に入金処理の選択操作と金種別の入金枚数の操作入力とが行われて入金処理の実行操作が入力されると、端末制御部１８は、この金種別の入金枚数の操作入力値を日時情報とともに端末記憶部１９に一時記憶させる。それとともに、端末制御部１８は、貨幣処理機本体１２の本体制御部２７に入金処理の指示信号を送信する。本体制御部２７は、入金処理の指示信号を受信すると、硬貨入金口３０を開いて硬貨の投入が可能な状態とし、紙幣入金口６０を開いて紙幣の投入が可能な状態とする。そして、本体制御部２７は、硬貨入金口３０に硬貨が投入されたことを入金口硬貨検出手段５４が検出すると、硬貨処理部４０で以下の硬貨入金処理を行い、また、紙幣入金口６０に紙幣が投入されたことを入金口紙幣検出手段８４が検出すると、紙幣処理部６５で以下の紙幣入金処理を行う。
【００４４】
「硬貨入金処理」
硬貨入金口３０を閉じて硬貨入金口３０から硬貨を一枚ずつ分離して機内へ繰り出し、硬貨入金識別部４１で識別する。そして、硬貨入金識別部４１で受け入れ可能と識別された硬貨を硬貨入金振分部４２で硬貨一時貯留部４３に搬送し、硬貨入金識別部４１で受け入れ不可と識別された硬貨を硬貨入金振分部４２で硬貨入金リジェクト口３６に搬送する。硬貨入金リジェクト口３６に搬送された硬貨は機外に取り出し可能となる。
【００４５】
「紙幣入金処理」
紙幣入金口６０を閉じて紙幣入金口６０から紙幣を一枚ずつ分離して機内へ繰り出し、紙幣入金識別部７１で識別する。そして、紙幣入金識別部７１で受け入れ可能と識別された紙幣を紙幣入金振分部７２で紙幣一時貯留部７３に搬送し、紙幣入金識別部７１で受け入れ不可と識別された紙幣を紙幣入金振分部７２で紙幣出金口６１に搬送する。紙幣出金口６１に搬送された紙幣がある場合、紙幣出金口６１を開いて機外に取り出し可能とする。
【００４６】
上記した硬貨入金処理および紙幣入金処理が終了すると、本体制御部２７は、硬貨入金識別部４１の識別結果つまり硬貨の金種別の入金枚数の計数値である受け入れ可能な入金硬貨の金種別の枚数データと、紙幣入金識別部７１の識別結果つまり紙幣の金種別の入金枚数の計数値である受け入れ可能な入金紙幣の金種別の枚数データとを日時情報とともに、本体記憶部２８に一時記憶させるとともに端末制御部１８に送信する。すると、端末制御部１８は、金種別の入金枚数の計数値である受け入れ可能な入金硬貨の金種別の枚数データおよび入金紙幣の金種別の枚数データと、端末記憶部１９に一時記憶された金種別の入金枚数の操作入力値と、了解操作およびキャンセル操作のいずれか一方の選択入力を促す表示とを、端末表示部１６に表示させる。
【００４７】
これを見て窓口操作者が端末操作部１５に了解操作を入力すると、端末制御部１８は、入金処理の開始時に入力されて端末記憶部１９に一時記憶された金種別の入金枚数の操作入力値を日時情報とともに端末記憶部１９に確定記憶させるとともに、この金種別の入金枚数の操作入力値と入金収納処理の指示信号とを本体制御部２７に送信する。すると、本体制御部２７は、受信した金種別の入金枚数の操作入力値と、本体記憶部２８に一時記憶させていた金種別の入金枚数の計数値と、日時情報とを関連づけて本体記憶部２８に確定記憶させ、さらに、硬貨処理部４０で以下の硬貨入金収納処理を行い、紙幣処理部６５で以下の紙幣入金収納処理を行う。
【００４８】
また、窓口操作者が端末操作部１５にキャンセル操作を入力すると、端末制御部１８は、入金処理の開始時に入力されて端末記憶部１９に一時記憶された金種別の入金枚数の操作入力値を消去するとともに、入金返却処理の指示信号を本体制御部２７に送信する。すると、本体制御部２７は、本体記憶部２８に一時記憶させていた金種別の入金枚数の計数値を消去するとともに、硬貨処理部４０で以下の硬貨入金返却処理を行い、紙幣処理部６５で以下の紙幣入金返却処理を行う。
【００４９】
ここで、金種別の入金枚数の操作入力値と金種別の入金枚数の計数値とが一致しない場合もある。例えば、窓口操作者が操作を急いでいる状態で、硬貨入金リジェクト口３６にリジェクトされた硬貨がある場合や、紙幣出金口６１にリジェクトされた紙幣がある場合に、窓口操作者が、リジェクト貨幣の状態を目視で確認して、金種別の入金枚数の計数値にリジェクトされた貨幣の分を加えれば、金種別の入金枚数の操作入力値と一致することが確認される場合に、後で手入力で数値を合わせることを前提に、端末操作部１５に了解操作を入力する場合等である。
【００５０】
金種別の入金枚数の操作入力値と金種別の入金枚数の計数値とが一致しない不整合を生じた状態で、端末操作部１５に了解操作が入力されると、端末制御部１８は、入金処理の開始時に入力されて端末記憶部１９に一時記憶された金種別の入金枚数の操作入力値を日時情報とともに端末記憶部１９に確定記憶させるとともに、この金種別の入金枚数の操作入力値と、入金収納処理の指示信号と、不整合を生じている旨の信号とを本体制御部２７に送信する。すると、本体制御部２７は、受信した金種別の入金枚数の操作入力値と、本体記憶部２８に一時記憶させていた金種別の入金枚数の計数値と、これらが不整合を生じている旨と、日時情報とを関連づけて本体記憶部２８に確定記憶させる。つまり、本体記憶部２８は入金処理に関連する操作入力値と計数値との不整合を時系列的に記憶する。
【００５１】
「硬貨入金収納処理」
硬貨一時貯留部４３から硬貨を一枚ずつ分離して繰り出し、硬貨返却振分部４５で硬貨収納識別部４６に搬送し硬貨収納識別部４６で識別する。そして、硬貨収納識別部４６の識別結果に基づいて、硬貨を硬貨金種別振分部４７によって硬貨収納部４８，４８，…のうちの対応する金種のものに案内して収納する。
【００５２】
「紙幣入金収納処理」
紙幣一時貯留部７３から紙幣を一枚ずつ分離して繰り出し、紙幣返却振分部７５で紙幣入金識別部７１に搬送し紙幣入金識別部７１で識別する。そして、紙幣入金識別部７１の識別結果に基づいて、紙幣を紙幣入金振分部７２によって紙幣収納部７８，７８，…のうちの対応する金種のものに案内して収納する。また、紙幣入金識別部７１で重送や斜行等の異常搬送と識別された紙幣を、紙幣入金振分部７２によって紙幣機内リジェクト部７４に案内して収納する。
【００５３】
「硬貨入金返却処理」
硬貨一時貯留部４３から硬貨を一枚ずつ分離して繰り出し、硬貨返却振分部４５によって硬貨放出口３５に搬送し、硬貨放出口３５から受皿３３に放出する。
【００５４】
「紙幣入金返却処理」
紙幣一時貯留部７３から紙幣を一枚ずつ分離して繰り出し、紙幣返却振分部７５によって紙幣出金口６１に搬送し、紙幣出金口６１を開いて機外に取り出し可能とする。
【００５５】
［出金処理］
操作端末装置１１において端末操作部１５に出金処理の選択操作と金種別の出金枚数の操作入力とが行われて出金処理の実行操作が入力されると、端末制御部１８は、この金種別の出金枚数の操作入力値を端末記憶部１９に一時記憶させる。それとともに、端末制御部１８は、貨幣処理機本体１２の本体制御部２７に、この金種別の出金枚数の操作入力値を含む出金処理の指示信号を送信する。本体制御部２７は、出金処理の指示信号を受信すると、それに含まれる金種別の出金枚数の操作入力値を本体記憶部２８に記憶させるとともに、金種別の出金枚数の操作入力値にしたがって、硬貨処理部４０で以下の硬貨出金処理を行い、紙幣処理部６５で以下の紙幣出金処理を行う。
【００５６】
「硬貨出金処理」
硬貨収納部４８，４８，…の対応する金種のものから硬貨計数繰出部５０，５０，…の対応するもので硬貨を計数しつつ繰り出し、硬貨出金振分部５１で硬貨放出口３５から受皿３３に放出する。
【００５７】
「紙幣出金処理」
紙幣収納部７８，７８，…の対応する金種のものから紙幣計数繰出部８０，８０，…の対応するもので紙幣を計数しつつ繰り出し、紙幣出金識別部８１で識別しつつ計数し、正常搬送の紙幣を紙幣出金振分部８２で紙幣出金口６１に放出し、紙幣出金口６１を開いて取り出し可能とする。このとき、紙幣出金識別部８１で重送や斜行等の異常搬送と識別されたリジェクト紙幣を紙幣出金振分部８２で紙幣機内リジェクト部７４に収納する。
【００５８】
硬貨出金処理および紙幣出金処理が終了すると、本体制御部２７は、硬貨計数繰出部５０，５０，…の計数結果つまり硬貨の金種別の出金枚数の計数値と、紙幣出金口６１に搬送した紙幣の紙幣出金識別部８１での計数結果つまり紙幣の金種別の出金枚数の計数値と、日時情報とを関連づけて本体記憶部２８に記憶させる。
【００５９】
［補充関連処理］
操作端末装置１１において端末操作部１５に補充処理の選択操作と金種別の補充枚数の操作入力とが行われて補充処理の実行操作が入力されると、端末制御部１８は、この金種別の補充枚数の操作入力値を端末記憶部１９に一時記憶させる。それとともに、端末制御部１８は、貨幣処理機本体１２の本体制御部２７に補充処理の指示信号を送信する。本体制御部２７は、補充処理の指示信号を受信すると、硬貨処理部４０で上記の硬貨入金処理と同様の硬貨補充処理を行い、紙幣処理部６５で上記の紙幣入金処理と同様の紙幣補充処理を行う。
【００６０】
硬貨補充処理および紙幣補充処理が終了すると、本体制御部２７は、硬貨入金識別部４１の識別結果つまり硬貨の金種別の補充枚数の計数値である受け入れ可能な補充硬貨の金種別の枚数データと、紙幣入金識別部７１の識別結果つまり紙幣の金種別の補充枚数の計数値である受け入れ可能な補充紙幣の金種別の枚数データと、日時情報とを、本体記憶部２８に一時記憶させるとともに、端末制御部１８に送信する。すると、端末制御部１８は、金種別の補充枚数の計数値である、受け入れ可能な補充硬貨の金種別の枚数データおよび受け入れ可能な補充紙幣の金種別の枚数データと、端末記憶部１９に記憶された金種別の補充枚数の操作入力値と、了解操作かキャンセル操作の選択入力を促す表示とを、端末表示部１６に表示させる。
【００６１】
これを見て窓口操作者が端末操作部１５に了解操作を入力すると、端末制御部１８は、補充処理の開始時に入力されて端末記憶部１９に一時記憶された金種別の補充枚数の操作入力値を端末記憶部１９に確定記憶させるとともに、この金種別の補充枚数の操作入力値と補充収納処理の指示信号とを本体制御部２７に送信する。すると、本体制御部２７は、受信した金種別の補充枚数の操作入力値と本体記憶部２８に一時記憶させていた金種別の補充枚数の計数値と日時情報とを本体記憶部２８に確定記憶させ、さらに、硬貨処理部４０で上記した硬貨入金収納処理と同様の硬貨補充収納処理を行い、紙幣処理部６５で上記した紙幣入金収納処理と同様の紙幣補充収納処理を行う。
【００６２】
また、窓口操作者が端末操作部１５にキャンセル操作を入力すると、端末制御部１８は、補充処理の開始時に入力されて端末記憶部１９に一時記憶された金種別の補充枚数の操作入力値を消去するとともに、補充返却処理の指示信号を本体制御部２７に送信する。すると、本体制御部２７は、本体記憶部２８に一時記憶させていた金種別の補充枚数の計数値を消去するとともに、硬貨処理部４０で上記した硬貨入金返却処理と同様の硬貨補充返却処理を行い、紙幣処理部６５で上記した紙幣入金返却処理と同様の紙幣補充返却処理を行う。
【００６３】
ここでも、金種別の補充枚数の操作入力値と金種別の補充枚数の計数値とが一致しない場合がある。例えば、窓口操作者が操作を急いでいる状態で、硬貨入金リジェクト口３６にリジェクトされた硬貨がある場合や、紙幣出金口６１にリジェクトされた紙幣がある場合に、窓口操作者が、リジェクト貨幣の状態を目視で確認して、金種別の補充枚数の計数値にリジェクトされた貨幣の分を加えれば、金種別の補充枚数の操作入力値と一致することが確認される場合に、後で手入力で数値を合わせることを前提に、端末操作部１５に了解操作を入力する場合等である。
【００６４】
金種別の補充枚数の操作入力値と金種別の補充枚数の計数値とが一致しない不整合を生じた状態で、端末操作部１５に了解操作が入力されると、端末制御部１８は、補充処理の開始時に入力されて端末記憶部１９に一時記憶された金種別の補充枚数の操作入力値を日時情報とともに端末記憶部１９に確定記憶させるとともに、この金種別の補充枚数の操作入力値と、補充収納処理の指示信号と、不整合を生じている旨の信号とを本体制御部２７に送信する。すると、本体制御部２７は、受信した金種別の補充枚数の操作入力値と、本体記憶部２８に一時記憶させていた金種別の補充枚数の計数値と、これらが不整合を生じている旨の情報と、日時情報とを関連づけて本体記憶部２８に確定記憶させる。つまり、本体記憶部２８は、補充処理に関する操作入力値と計数値との不整合を時系列的に記憶する。
【００６５】
［回収処理］
操作端末装置１１において端末操作部１５に回収処理の選択操作と金種別の回収枚数の操作入力とが行われて回収処理の実行操作が入力されると、端末制御部１８は、この金種別の回収枚数の操作入力値を日時情報とともに端末記憶部１９に一時記憶させる。それとともに、端末制御部１８は、貨幣処理機本体１２の本体制御部２７に、この金種別の回収枚数の操作入力値を含む回収処理の指示信号を送信する。本体制御部２７は、回収処理の指示信号を受信すると、それに含まれる金種別の回収枚数の操作入力値を日時情報とともに本体記憶部２８に記憶させるとともに、金種別の回収枚数の操作入力値にしたがって、硬貨処理部４０で以下の硬貨回収処理を行い、紙幣処理部６５で以下の紙幣回収処理を行う。
【００６６】
「硬貨回収処理」
硬貨収納部４８，４８，…の対応する金種のものから硬貨計数繰出部５０，５０，…の対応するもので硬貨を計数しつつ繰り出し、硬貨出金振分部５１で硬貨回収金庫５２に収納する。これにより、金種別の回収枚数の操作入力値の枚数の硬貨が硬貨回収金庫５２に収納される。
【００６７】
「紙幣回収処理」
紙幣収納部７８，７８，…の対応する金種のものから紙幣計数繰出部８０，８０，…の対応するもので紙幣を計数しつつ繰り出し、紙幣出金識別部８１で識別しつつ、正常搬送の紙幣を紙幣出金振分部８２で紙幣回収金庫８３に収納する。このとき、紙幣出金識別部８１で重送や斜行等の異常搬送と識別されたリジェクト紙幣を紙幣出金振分部８２で紙幣機内リジェクト部７４に収納する。これにより、金種別の回収枚数の操作入力値の枚数の紙幣が紙幣回収金庫８３に収納される。
【００６８】
硬貨回収処理および紙幣回収処理が終了すると、本体制御部２７は、硬貨計数繰出部５０，５０，…の対応するものの計数結果つまり硬貨の金種別の回収枚数の計数値と、紙幣出金口６１に搬送した紙幣の紙幣出金識別部８１での計数結果つまり紙幣の金種別の回収枚数の計数値と、日時情報とを本体記憶部２８に記憶させる。硬貨回収金庫５２の硬貨は、上部ユニット９１が筐体９０から引き出されて回収されることになり、紙幣回収金庫８３の紙幣は、下部ユニット９３が筐体９０から引き出されて回収されることになる。
【００６９】
入金関連処理、出金処理、補充関連処理および回収処理のいずれの実行時においても、貨幣処理機本体１２では、硬貨取引異常検出手段５５が硬貨処理部４０の取引異常の有無を検出しており、紙幣取引異常検出手段８５が紙幣処理部６５の取引異常の有無を検出している。そして、硬貨取引異常検出手段５５が硬貨の取引異常有りを検出すると、本体制御部２７は、検出時刻とともに硬貨の取引異常が有った旨を本体記憶部２８に記憶させる。また、紙幣取引異常検出手段８５が紙幣の取引異常有りを検出すると、本体制御部２７は、検出時刻とともに紙幣の取引異常が有った旨の情報を本体記憶部２８に記憶させる。つまり、本体記憶部２８は、取引異常があるとこれを時系列的に記憶する。
【００７０】
また、停電等により貨幣処理機本体１２の主電源がオフの状態となると、バッテリ９６で駆動される開作動検出手段９５が上部ユニット９１、中間ユニット９２および下部ユニット９３のそれぞれの開作動の有無を検出する。停電等により主電源がオフの状態で、上部ユニット９１、中間ユニット９２および下部ユニット９３のいずれかの開作動を開作動検出手段９５が検出すると、本体制御部２７は、検出時刻とともに開作動があった旨の情報を本体記憶部２８に記憶させる。つまり、本体記憶部２８は、主電源がオフの状態で上部ユニット９１、中間ユニット９２および下部ユニット９３のいずれかが開閉されると、開閉されたユニットの識別を含む情報を時系列的に記憶する。
【００７１】
営業日当日には、その営業開始時刻から営業終了時刻までの間、貨幣処理機１０は、以上の入金関連処理と出金処理と補充関連処理と回収処理とを主体として処理を行う。そして、営業終了時刻になると、貨幣処理機１０は締め上げ処理を行うことになる。
【００７２】
端末操作部１５に締め上げ処理の操作入力が入力されると、端末制御部１８は、本体制御部２７に締め上げ処理の指示信号を送信する。すると、本体制御部２７は、本体記憶部２８に記憶されている締め上げの対象期間である営業日当日の上記した操作入力値を読み出して機内の論理在高値を算出する。つまり、営業日当日のすべての入金関連処理の金種別の入金枚数の操作入力値に対して、営業日当日のすべての補充関連処理の金種別の補充枚数の操作入力値を金種毎に加算するとともに、営業日当日のすべての出金処理の金種別の出金枚数の操作入力値を金種毎に減算し、さらに営業日当日のすべての回収処理の金種別の回収枚数の操作入力値を金種毎に減算して、機内の論理在高値を算出し、論理在高値を営業日当日の日付を含む日時情報とともに本体記憶部２８に記憶する。
【００７３】
それとともに、本体制御部２７は、本体記憶部２８に記憶されている営業日当日の上記した計数値を読み出して機内の物理在高値を算出する。つまり、営業日当日のすべての入金関連処理の金種別の入金枚数の計数値に対して、営業日当日のすべての補充関連処理の金種別の補充枚数の計数値を金種毎に加算するとともに、営業日当日のすべての出金処理の金種別の出金枚数の計数値を金種毎に減算し、さらに営業日当日のすべての回収処理の金種別の回収枚数の計数値を金種毎に減算して、機内の物理在高値を算出し、物理在高値を営業日当日の日付を含む日時情報とともに本体記憶部２８に記憶する。
【００７４】
論理在高値および物理在高値を算出すると、本体制御部２７は、これらのデータを端末制御部１８に送信することになり、端末制御部１８は、論理在高値および物理在高値を営業日当日の日付を含む日時情報とともに端末記憶部１９に記憶する。端末操作部１５への操作入力に基づいて、端末制御部１８は、端末記憶部１９に記憶している論理在高値と物理在高値とをプリンタ１３によって図５（ａ），（ｂ）に示すように紙面に印字させる（図５では論理在高値を理論値と称し、物理在高値を格納値と称している）。具体的な印字内容は、論理在高値および物理在高値のそれぞれについての金種毎の枚数および金額と、合計枚数と合計金額とを含んでいる。
【００７５】
本体制御部２７は、上記した操作入力値に基づく機内の論理在高値と上記した計数値に基づく機内の物理在高値とを照合する。それとともに、本体制御部２７は、本体記憶部２８に記憶されている、営業日当日に硬貨取引異常検出手段５５により検出された硬貨の取引異常有りの履歴と、営業日当日に紙幣取引異常検出手段８５により検出された紙幣の取引異常有りの履歴とを確認する。加えて、本体制御部２７は、本体記憶部２８に記憶されている、営業日当日に開作動検出手段９５により検出された、貨幣処理機本体１２の主電源がオフの状態での上部ユニット９１、中間ユニット９２および下部ユニット９３のいずれかの開作動有りの履歴を確認する。
【００７６】
本体制御部２７は、判定対象期間である営業日当日の機内の論理在高値と機内の物理在高値との照合結果と、判定対象期間である営業日当日の硬貨取引異常検出手段５５および紙幣取引異常検出手段８５の検出結果と、判定対象期間である営業日当日の開作動検出手段９５の検出結果と、に基づいて貨幣処理機本体１２の貨幣の機内残置が可能であるか否かを判定する残置判定処理を行う。なお、上部ユニット９１、中間ユニット９２および下部ユニット９３のいずれについても、貨幣処理機本体１２の主電源オフ状態での開作動が厳重に管理される場合には、開作動検出手段９５の検出結果を残置判定処理の判定項目から除外しても良い。
【００７７】
本体制御部２７は、残置判定処理にて、営業日当日の上記した機内の論理在高値と上記した機内の物理在高値とが一致し、且つ営業日当日に取引異常がなく、且つ営業日当日に主電源オフ状態での開作動がなければ、貨幣の機内残置が可能であると判定し、その旨の残置許可信号を端末制御部１８に送信する。すると、端末制御部１８は端末表示部１６に貨幣の機内残置が可能である旨を報知するとともに、以下の機内残置処理の設定操作を受け付け、機内残置処理が実行可能な状態になる。
【００７８】
［機内残置処理］
端末操作部１５を介して行われる機内残置処理の設定操作により、機内の金種別の在高値の範囲内で、残置させる金種別の残置枚数値が入力される。すると、端末制御部１８は、機内の金種別の在高値から、残置させる金種別の残置枚数値を金種毎に減算して、金種別の回収枚数の設定値とし、この設定値を操作入力値と置き換えて、上記と同様の回収処理を実行する。以上が、入力された金種別の残置枚数値の貨幣を貨幣処理機本体１２内に残置する機内残置処理となる。この金種別の残置枚数値が翌営業日の初期の論理在高値と物理在高値とになる。なお、図５（ａ）に示すように、一致した論理在高値（図５では理論値）および物理在高値（図５では格納値）をプリンタ１３により紙面に印字することができるため、操作者は、この印字データを参照して、金種別の残置枚数値を設定することが可能になる。
【００７９】
また、本体制御部２７は、残置判定処理にて、営業日当日の上記した機内の論理在高値と上記した機内の物理在高値とが不一致であり、且つ営業日当日に取引異常がなく、且つ営業日当日に主電源オフ状態での開作動がなかった場合には、硬貨および紙幣のうちの硬貨のみの論理在高値と物理在高値とが不一致であるのか、硬貨および紙幣のうちの紙幣のみの論理在高値と物理在高値とが不一致であるのか、硬貨および紙幣の両方について論理在高値と物理在高値とが不一致であるのかを判定する。そして、本体制御部２７は、硬貨のみの論理在高値と物理在高値とが不一致である場合には以下の硬貨処理部４０での硬貨精査処理のみを強制的に行い、紙幣のみの論理在高値と物理在高値とが不一致である場合には以下の紙幣処理部６５での紙幣精査処理のみを強制的に行い、硬貨および紙幣両方の論理在高値と物理在高値とが不一致である場合は、硬貨精査処理および紙幣精査処理の両方を強制的に行う。
【００８０】
ここで、上記したように、入金関連処理にて金種別の入金枚数の操作入力値と金種別の入金枚数の計数値とが一致しない不整合を生じた状態で、端末操作部１５に了解操作が入力されると、本体制御部２７が、金種別の入金枚数の操作入力値と金種別の入金枚数の計数値とを含む不整合の詳細の時系列データを、本体記憶部２８に記憶させている。また、補充関連処理にて金種別の補充枚数の操作入力値と金種別の補充枚数の計数値とが一致しない不整合を生じた状態で、端末操作部１５に了解操作が入力されると、本体制御部２７が、金種別の補充枚数の操作入力値と金種別の補充枚数の計数値とを含む不整合の詳細の時系列データを、本体記憶部２８に記憶させている。
【００８１】
そして、端末操作部１５に、不整合の時系列データを読み出す操作が入力されると、端末制御部１８が本体制御部２７を介して本体記憶部２８から営業日当日のすべての不整合の時系列データを読み出し、端末表示部１６に表示させる。これにより、営業日当日の機内の論理在高値と機内の物理在高値とが不一致である原因の操作者による究明を補助することができる。このとき、端末操作部１５への操作入力により、端末制御部１８が、図５（ｂ）に示すように営業日当日の不一致の論理在高値（図５では理論値）および物理在高値（図５では格納値）の詳細をプリンタ１３により紙面に印字する。このため、操作者は、この印字データを参照して、不一致の原因を究明することができる。
【００８２】
「硬貨精査処理」
いずれか一金種の硬貨収納部４８から硬貨計数繰出部５０で硬貨を繰り出し、硬貨出金振分部５１で硬貨一時貯留部４３に一時貯留させる。この一金種の硬貨収納部４８の硬貨がすべて硬貨一時貯留部４３に一時貯留されて空になると、次に、硬貨一時貯留部４３が硬貨を一枚ずつ分離して繰り出し、硬貨返却振分部４５で硬貨収納識別部４６に搬送し硬貨収納識別部４６で識別しつつ計数して硬貨金種別振分部４７によってこの一金種の硬貨収納部４８に戻す。これにより、硬貨収納識別部４６の計数値をこの一金種の硬貨収納部４８の硬貨の物理在高値として確定する。同様の処理をすべての金種の硬貨収納部４８について順次行うことにより、すべての硬貨の物理在高値が確定する。
【００８３】
「紙幣精査処理」
いずれか一金種の紙幣収納部７８から紙幣計数繰出部８０によって紙幣を繰り出し、紙幣出金識別部８１で識別計数して、正常搬送の紙幣を紙幣出金振分部８２で紙幣一時貯留部７３に一時貯留させる一方、異常搬送の紙幣を紙幣出金振分部８２で紙幣機内リジェクト部７４に収納する。この一金種の紙幣収納部７８の紙幣がすべて紙幣一時貯留部７３および紙幣機内リジェクト部７４のいずれかに搬送されて空になると、次に、紙幣一時貯留部７３の紙幣を紙幣返却振分部７５で紙幣入金識別部７１に搬送し、紙幣入金識別部７１で識別する。そして、紙幣入金識別部７１で計数された紙幣を紙幣入金振分部７２でこの一の金種の紙幣収納部７８に搬送する。これにより、紙幣入金識別部７１の計数値をこの一金種の紙幣収納部７８の紙幣の物理在高値として確定する。同様の処理をすべての金種の紙幣収納部７８について順次行うことにより、すべての紙幣の物理在高値が確定する。なお、紙幣精査処理で紙幣機内リジェクト部７４に収納された紙幣は、紙幣精査処理での紙幣の物理在高値には含まれない。
【００８４】
硬貨のみの論理在高値と物理在高値とが不一致の場合に、本体制御部２７は、硬貨処理部４０の硬貨精査処理のみを強制的に行った後に、貨幣の機内残置が可能であると判定し、残置許可信号を端末制御部１８に送信する。また、紙幣のみの論理在高値と物理在高値とが不一致の場合には、本体制御部２７は、紙幣処理部６５の紙幣精査処理のみを強制的に行った後に、貨幣の機内残置が可能であると判定し、残置許可信号を端末制御部１８に送信する。また、硬貨および紙幣両方の論理在高値と物理在高値とが不一致の場合に、本体制御部２７は、硬貨精査処理および紙幣精査処理の両方を強制的に行った後に、貨幣の機内残置が可能であると判定し、残置許可信号を端末制御部１８に送信する。貨幣の機内残置が可能である旨の信号を受けると、端末制御部１８は端末表示部１６に貨幣の機内残置が可能である旨を報知するとともに、上記した機内残置処理の設定操作を受け付ける状態になる。ここで、精査処理を行うと、図５（ｃ）に示すように精査処理後の機内在高をプリンタ１３により紙面に印字することができる。具体的な印字内容は、精査処理前および精査処理後のそれぞれについての金種毎の枚数および金額と合計枚数と合計金額とを含む機内在高と、精査処理後の論理在高値および物理在高値のそれぞれについての金種毎の枚数および金額と、合計枚数と合計金額とを含んでいる。
【００８５】
また、本体制御部２７は、残置判定処理にて、営業日当日の上記した機内の論理在高値と上記した機内の物理在高値とが一致し、且つ営業日当日の取引異常があり、且つ営業日当日に主電源オフ状態での開作動がなかった場合には、端末制御部１８に取引異常の詳細内容を含む信号を送信する。すると、端末制御部１８は、端末表示部１６に、硬貨処理部４０および紙幣処理部６５のうち取引異常があったもののみについて自己精査処理実行の有無の選択操作を促す表示を表示させ、端末操作部１５にこの選択操作を受け付ける。
【００８６】
つまり、硬貨処理部４０および紙幣処理部６５のうち硬貨処理部４０のみに取引異常があった場合には、硬貨処理部４０のみについて自己精査処理実行の有無の選択操作を促す表示を端末表示部１６に表示させる。これに対し、硬貨処理部４０についての自己精査処理実行有りが端末操作部１５に入力されると、端末制御部１８は、本体制御部２７に硬貨処理部４０の自己精査処理実行有りの信号を送信する。すると、本体制御部２７は、硬貨処理部４０の硬貨精査処理のみを強制的に行う。その後、本体制御部２７は、貨幣の機内残置が可能であると判定し、残置許可信号を端末制御部１８に送信する。
【００８７】
また、硬貨処理部４０および紙幣処理部６５のうち紙幣処理部６５のみに取引異常があった場合には、紙幣処理部６５のみについて自己精査処理実行の有無の選択操作を促す表示を端末表示部１６に表示させる。これに対し、紙幣処理部６５についての自己精査処理実行有りが端末操作部１５に入力されると、端末制御部１８は、本体制御部２７に紙幣処理部６５の自己精査処理実行有りの信号を送信する。すると、本体制御部２７は、紙幣処理部６５の紙幣精査処理のみを強制的に行う。その後、本体制御部２７は、貨幣の機内残置が可能であると判定し、残置許可信号を端末制御部１８に送信する。
【００８８】
また、硬貨処理部４０および紙幣処理部６５の両方に取引異常があった場合には、硬貨処理部４０について自己精査処理実行の有無の選択操作を促す表示と紙幣処理部６５について自己精査処理実行の有無の選択操作を促す表示とを表示させる。これらの表示に対し、硬貨処理部４０について自己精査処理実行有りが端末操作部１５に入力され、紙幣処理部６５について自己精査処理実行無しが端末操作部１５に入力されると、端末制御部１８は、本体制御部２７に硬貨処理部４０の自己精査処理実行有りの信号を送信する。すると、本体制御部２７は、上記した硬貨処理部４０の硬貨精査処理のみを行う。その後、本体制御部２７は、貨幣の機内残置が可能であると判定し、残置許可信号を端末制御部１８に送信する。
【００８９】
硬貨処理部４０および紙幣処理部６５の両方に取引異常があった場合に、上記の自己精査処理実行の有無の選択操作を促す表示に対し、硬貨処理部４０について自己精査処理実行無しが端末操作部１５に入力され、紙幣処理部６５について自己精査処理実行有りが端末操作部１５に入力されると、端末制御部１８は、本体制御部２７に紙幣処理部６５の自己精査処理実行有りの信号を送信する。すると、本体制御部２７は、上記した紙幣処理部６５の紙幣精査処理のみを行う。その後、本体制御部２７は、貨幣の機内残置が可能であると判定し、残置許可信号を端末制御部１８に送信する。
【００９０】
硬貨処理部４０および紙幣処理部６５の両方に取引異常があった場合に、上記の自己精査処理実行の有無の選択操作を促す表示に対し、硬貨処理部４０について自己精査処理実行有りが端末操作部１５に入力され、紙幣処理部６５について自己精査処理実行有りが端末操作部１５に入力されると、端末制御部１８は、本体制御部２７に硬貨処理部４０の自己精査処理実行有りの信号と紙幣処理部６５の自己精査処理実行有りの信号とを送信する。すると、本体制御部２７は、上記した硬貨処理部４０の硬貨精査処理と紙幣処理部６５の紙幣精査処理とを行う。その後、本体制御部２７は、貨幣の機内残置が可能であると判定し、残置許可信号を端末制御部１８に送信する。
【００９１】
硬貨処理部４０および紙幣処理部６５の両方に取引異常があった場合に、上記の自己精査処理実行の有無の選択操作を促す表示に対し、硬貨処理部４０について自己精査処理実行無しが端末操作部１５に入力され、紙幣処理部６５について自己精査処理実行無しが端末操作部１５に入力されると、自己精査処理が実行されないまま、端末制御部１８が、残置許可信号を受信した状態となる。
【００９２】
端末制御部１８は、残置許可信号を受信すると、端末表示部１６に貨幣の機内残置が可能である旨を報知するとともに、上記した機内残置処理の設定操作を受け付ける状態になる。
【００９３】
また、本体制御部２７は、残置判定処理にて、上記以外の場合、つまり、営業日当日に貨幣処理機本体１２の主電源オフ状態での開作動があった場合と、営業日当日の上記した機内の論理在高値と上記した機内の物理在高値とが不一致であり、且つ営業日当日の取引異常があり、且つ営業日当日に貨幣処理機本体１２の主電源オフ状態での開作動がなかった場合とについては、硬貨精査処理および紙幣精査処理の両方を強制的に行う。その後、本体制御部２７は、貨幣の機内残置が可能であると判定し、残置許可信号を端末制御部１８に送信する。すると、端末制御部１８が、端末表示部１６に貨幣の機内残置が可能である旨を報知するとともに、上記した機内残置処理の設定操作を受け付ける状態になる。
【００９４】
ここで、本体制御部２７は、残置判定処理を行うにあたって、リジェクト検知手段８６の検知結果から紙幣機内リジェクト部７４に紙幣があるか否かを判定し、紙幣機内リジェクト部７４に紙幣がある場合には、紙幣機内リジェクト部７４の紙幣の戻し処理の実行を受け付け、この戻し処理が実行されると、残置判定処理を行うようにしても良い。
【００９５】
つまり、本体制御部２７は、残置判定処理を行うにあたって、紙幣機内リジェクト部７４に紙幣があることがリジェクト検知手段８６により検知されると、その旨の信号を端末制御部１８に送信する。すると、端末制御部１８が端末表示部１６に、紙幣機内リジェクト部７４の紙幣について戻し処理を行う旨を案内する表示を行って、戻し処理の実行を受け付ける状態となる。端末操作部１５に戻し処理を実行する旨の選択操作が入力されると、端末制御部１８は、その旨の信号を本体制御部２７に送信する。すると、本体制御部２７は、以下の戻し処理を実行する。
【００９６】
「戻し処理」
本体制御部２７は、中間ユニット９２と筐体９０とのロックを解除し、中間ユニット９２を開作動可能とする。この状態で、中間ユニット９２が筐体９０から引き出され、紙幣機内リジェクト部７４が取り出されて、紙幣機内リジェクト部７４が中間ユニット９２に戻され中間ユニット９２が筐体９０に押し込まれると、本体制御部２７は、中間ユニット９２を筐体９０にロックする。
【００９７】
次に、本体制御部２７は、リジェクト検知手段８６が紙幣機内リジェクト部７４に紙幣がないことを検知すると、紙幣入金口６０を開いて紙幣の投入が可能な状態とし、紙幣入金口６０に紙幣が投入されたことを入金口紙幣検出手段８４で検出すると、紙幣一時貯留部７３から紙幣を一枚ずつ分離して繰り出し、紙幣入金識別部７１で識別する。そして、紙幣入金識別部７１の識別結果に基づいて、紙幣を紙幣入金振分部７２によって紙幣収納部７８，７８，…のうちの対応する金種のものに案内して収納する。これにより、紙幣処理部６５が紙幣をこれを繰り出し可能に収納する紙幣収納部７８，７８，…に戻すことになる。ただし、紙幣機内リジェクト部７４の紙幣は機内に収納している確定紙幣であるため、この戻し処理で紙幣を紙幣収納部７８，７８，…の対応するものに戻しても、機内の論理在高値と機内の物理在高値とは変わらない。紙幣を紙幣収納部７８，７８，…に戻すと、本体制御部２７は、残置判定処理を実行する。なお、この戻し処理においても、紙幣入金識別部７１で重送や斜行等の異常搬送と識別された紙幣については、紙幣入金振分部７２によって紙幣機内リジェクト部７４に再び案内して収納する。
【００９８】
以上に述べた本実施形態の貨幣処理機１０によれば、本体制御部２７が、残置判定処理にて、判定対象期間である営業日当日の論理在高値と物理在高値とが一致し、且つ判定対象期間である営業日当日に取引異常がなかったという条件が揃えば、自己精査しなくても貨幣の機内残置処理が可能であると判定し、その旨を、端末制御部１８を介して端末表示部１６に表示させて報知するとともに機内残置処理が実行可能な状態となる。このように、自己精査しなくても機内の在高値を適正に把握していると判断できる条件である、営業日当日の論理在高値と物理在高値とが一致し、且つ営業日当日に取引異常がなかったという条件が整っているか否かを判断し、これらの条件が整っている場合には、自己精査を行わずに貨幣の機内残置処理が実行可能となる。このため、自己精査を行わなくても適正に貨幣を機内に残置させることができ、残置運用のための処理時間を短縮可能となる。
【００９９】
また、残置判定処理にて、判定対象期間である営業日当日の論理在高値と物理在高値とが不一致であり、且つ判定対象期間である営業日当日に取引異常がなかった場合、本体制御部２７が、硬貨処理部４０および紙幣処理部６５のうち、論理在高値と物理在高値とが不一致であったもののみについて自己精査処理を実行する。このため、硬貨処理部４０および紙幣処理部６５のうち論理在高値と物理在高値とが不一致となっていないものについては自己精査処理を実行しないことになり、残置運用のための処理時間を短縮可能となる。
【０１００】
また、残置判定処理にて、判定対象期間である営業日当日の論理在高値と物理在高値とが一致し且つ判定対象期間である営業日当日に取引異常があった場合に、本体制御部２７が、硬貨処理部４０および紙幣処理部６５のうち営業日当日に取引異常があったもののみについて自己精査処理実行の有無の選択操作を受け付ける。よって、硬貨処理部４０および紙幣処理部６５のうち営業日当日に取引異常がなかったものについては自己精査処理を実行しないことになり、また、取引異常があったものについては、自己精査処理実行有りの選択操作を受け付けることから、操作者が取引異常の内容を把握していて自己精査処理の実行が不要と判断した場合には、自己精査処理を実行しないようにできる。したがって、残置運用のための処理時間を短縮可能となる。
【０１０１】
また、残置判定処理を行うにあたって紙幣機内リジェクト部７４に貨幣がある場合には、本体制御部２７が、紙幣機内リジェクト部７４の貨幣を紙幣収納部７８，７８，…に戻す戻し処理の実行を受け付ける状態となり、戻し処理が実行されると残置判定処理を行う。このため、紙幣機内リジェクト部７４に貨幣がない状態として、残置判定処理を行って貨幣を機内に残置させることができる。
【０１０２】
また、論理在高値と物理在高値とが不一致の場合に、本体記憶部２８に時系列的に記憶された操作入力値と計数値との不整合を確認させることで、不一致の原因を容易に究明させることが可能となる。
【０１０３】
また、本体制御部２７が、残置判定処理にて、判定対象期間である営業日当日の論理在高値と物理在高値とが一致し、且つ判定対象期間である営業日当日に取引異常がなく、且つ判定対象期間である営業日当日に主電源オフ状態での上部ユニット９１、中間ユニット９２および下部ユニット９３の開作動がなければ、貨幣の機内残置処理が実行可能となる。よって、主電源オフ状態で、上部ユニット９１、中間ユニット９２および下部ユニット９３のいずれかに開作動があった場合に、自己精査処理を実行せずに貨幣が機内に残置されてしまうことを防止できる。
【０１０４】
また、プリンタ１３が論理在高値と物理在高値とを紙面に印字することにより、残置判定処理時の論理在高値と物理在高値とを紙面に印字して残しておくことができ、また、これらを参照することにより、機内残置処理の設定操作が容易となる。
【符号の説明】
【０１０５】
１０  貨幣処理機
１３  プリンタ
２７  本体制御部（照合手段，残置判定手段）
２８  本体記憶部（不整合記憶手段）
４０  硬貨処理部
４６  硬貨収納識別部（計数手段）
５０  硬貨計数繰出部（計数手段）
５５  硬貨取引異常検出手段（取引異常検出手段）
６５  紙幣処理部
７１  紙幣入金識別部（計数手段）
７４  紙幣機内リジェクト部（リジェクト部）
７８  紙幣収納部（収納部）
８１  紙幣出金識別部（計数手段）
８５  紙幣取引異常検出手段（取引異常検出手段）
８６ リジェクト検知手段
９１ 上部ユニット（開閉部）
９２  中間ユニット（開閉部）
９３  下部ユニット（開閉部）
９５  開作動検出手段
【図１】
2015210708.tif 000003
【図２】
2015210708.tif 000004
【図３】
2015210708.tif 000005
【図４】
2015210708.tif 000006
【図５】
2015210708.tif 000007